(57)【特許請求の範囲】
【請求項１】
ａ．会員制の有料デジタルテレビ放送局とこの会員となっている視聴者間において、データ通信回線を経由して前記放送局が前記会員に対して放送予定番組のプロモーションを行い、このプロモーションされた放送予定番組の中から前記視聴者が視聴予約を行うための方法であって、
ｂ．前記視聴者側には、Ｂ−ＣＡＳカードＩＤ付のデジタルテレビ又はチューナー又は録画機器及びこれらの機器を操作するためのリモコンが備えられ、
ｃ．前記有料デジタルテレビ放送局側には、前記データ通信回線を経由して前記視聴者側の前記機器に対してプロモーション番組を表示するプロモーション番組送出手段及び前記視聴者側の機器に備えられているＢ−ＣＡＳカードＩＤを読み取るＩＤ読み取り手段及び視聴予約されたデータの分析手段及び前記視聴予約された番組データの格納手段及びこの格納された情報を前記機器に対して送出する情報送出手段を有する管理サーバが備えられ、
ｄ．更に加えて、前記管理サーバには、第三者の予約状況及びこの予約されている番組の人気度及び前記視聴者が過去に視聴した番組履歴情報から推定して興味を示しそうな番組の選別手段及び前記管理サーバに格納されている情報の送出手段が備えられていると共に、視聴予約された番組の放送時刻が接近した時点で前記データ通信回線を経由して前記Ｂ−ＣＡＳカードＩＤを取得した機器に対して予約した番組の放送開始予告手段が備えられていて、
ｅ．前記放送局は、前記管理サーバから放送予定番組のプロモーションデータを前記データ通信回線を経由して視聴者側の機器に表示し、このプロモーションデータを視聴した視聴者が前記機器のリモコンを用いて予約情報を前記データ通信回線を経由して前記管理サーバに登録することができ、更に前記視聴者は、前記機器から当該管理サーバに格納されている情報を前記機器へ表示することができ、更に予約した番組の放送時刻が接近すると、間もなく予約した番組が放送されることを前記放送予告手段から前記視聴者側の機器へ表示する、
ｆ．ことを特徴とする有料デジタルテレビ放送局とこの会員登録されている視聴者間において行う有料デジタルテレビ放送局とこの会員間における放送予定番組のプロモーション及び視聴予約方法。
【発明の詳細な説明】
【技術分野】
【０００１】
本発明は、有料デジタルテレビ放送局がデータ通信回線を利用して自局の放送予定番組の内容をあらかじめ会員である視聴者に提供することにより視聴率の向上と視聴者の利便性の向上を図ると共に前記視聴者に対して番組の人気度とか視聴者の属性を基にして選定した放送予定番組の紹介等を行う有料デジタルテレビ放送局とこの視聴者間においてデータ通信回線を経由して行う放送予定番組のプロモーション及び視聴予約方法に関する。
【背景技術】
【０００２】
自局の放送番組の予告を放送番組中に行うことで視聴率の向上を図ることは各放送局で行っているが、番組の編成は通常約１ヶ月前には終えているので、この放送予定番組のプロモーションデータが会員である視聴者のテレビ画面であらかじめ任意に視聴できるようにすれば、番組の宣伝になるばかりでなく、視聴者にとっては興味のある番組について視聴予定が立て易いと共にこれをあらかじめ予約しておくことができれば見逃すこともなくなる。
【０００３】
また、放送局側としては、視聴者の視聴傾向をあらかじめ知っておくようにすれば、視聴者に対して興味を惹きそうな番組を選定して視聴者に提供することにより、効率的に予告効果を高めることができると共に今後の番組編成の一助とすることもできる。
【０００４】
現在、データ通信番組コンテンツを利用した視聴者に対する双方向サービスとして、特開２００２−１７１５０８号公報に掲載された内容のものが知られている。しかし、この内容は、放送番組の情報提供とこの情報に基づく予約方法に関するものではない。
【先行技術文献】
【特許文献】
【０００５】
【特許文献１】特開２００２−１７１５０８号公報
【発明の概要】
【発明が解決しようとする課題】
【０００６】
本発明は斯る点に鑑みて提供されるものであって、その目的は、視聴率の向上と番組予約の利便性と番組の視聴予定が立て易く、更に番組を見逃すことがない有料デジタルテレビ放送局とこの視聴者間において行うデータ通信回線を利用した放送番組のプロモーション及び視聴予約方法を提供することである。
【課題を解決するための手段】
【０００７】
上記目的を達成するため、請求項１に記載の発明においては、有料デジタルテレビ放送局とこの会員登録されている視聴者間において行う有料デジタルテレビ放送局とこの会員間における放送予定番組のプロモーション及び視聴予約方法において、ａ．会員制の有料デジタルテレビ放送局とこの会員となっている視聴者間において、データ通信回線を経由して前記放送局が前記会員に対して放送予定番組のプロモーションを行い、このプロモーションされた放送予定番組の中から前記視聴者が視聴予約を行うための方法であって、ｂ．前記視聴者側には、Ｂ−ＣＡＳカードＩＤ付のデジタルテレビ又はチューナー又は録画機器及びこれらの機器を操作するためのリモコンが備えられ、ｃ．前記有料デジタルテレビ放送局側には、前記データ通信回線を経由して前記視聴者側の前記機器に対してプロモーション番組を表示するプロモーション番組送出手段及び前記視聴者側の機器に備えられているＢ−ＣＡＳカードＩＤを読み取るＩＤ読み取り手段及び視聴予約されたデータの分析手段及び前記視聴予約された番組データの格納手段及びこの格納された情報を前記機器に対して送出する情報送出手段を有する管理サーバが備えられ、ｄ．更に加えて、前記管理サーバには、第三者の予約状況及びこの予約されている番組の人気度及び前記視聴者が過去に視聴した番組履歴情報から推定して興味を示しそうな番組の選別手段及び前記管理サーバに格納されている情報の送出手段が備えられていると共に、視聴予約された番組の放送時刻が接近した時点で前記データ通信回線を経由して前記Ｂ−ＣＡＳカードＩＤを取得した機器に対して予約した番組の放送開始予告手段が備えられていて、ｅ．前記放送局は、前記管理サーバから放送予定番組のプロモーションデータを前記データ通信回線を経由して視聴者側の機器に表示し、このプロモーションデータを視聴した視聴者が前記機器のリモコンを用いて予約情報を前記データ通信回線を経由して前記管理サーバに登録することができ、更に前記視聴者は、前記機器から当該管理サーバに格納されている情報を前記機器へ表示することができ、更に予約した番組の放送時刻が接近すると、間もなく予約した番組が放送されることを前記放送予告手段から前記視聴者側の機器へ表示すること、を特徴とするものである。
【発明の効果】
【０００８】
上記した本発明は次の効果を奏する。
ａ．視聴者は、テレビのリモコンを用いて、データ通信回線用のリモコンボタンを操作するだけで編成を終えた放送予定番組のプロモーションデータを視聴し、この中から視聴したい番組だけをリモコンボタンを操作して予約をすることができるため、番組予約の利便性が向上する。
ｂ．放送局としては、放送予定番組のプロモーションデータを視聴者に届けることができるため、番組の宣伝効果を高めることができる。
【０００９】
ｃ．視聴者が予約した番組の開始前に放送局側からあらかじめ予約番組の放送日または時刻情報がデータ放送回線を用いて予約した視聴者に寄せられるため、番組の見逃しがなくなる。
ｄ．多数の視聴者からの番組ごとの予約傾向、件数等を分析し、集計したデータを視聴者に提供することにより、視聴者が予約したい番組を決定する際にこのデータを参考にしたり、視聴の動機づけを行うことができる。
ｅ．また、番組予約の傾向、件数等から、番組の人気度を計り、今後の番組編成作業の参考に利用できる。
【００１０】
ｆ．また、放送局としては、当該視聴者の番組の予約履歴から、当該視聴者が興味を持つと考えられる番組を当該視聴者に提供することにより、番組の宣伝と視聴率の向上を図ることができる。
ｇ．予約した番組は、視聴者のテレビメーカーの番組予約サービスに自動的に登録されるため、いちいち録画操作を行う必要がなく、手間が省ける。
【図面の簡単な説明】
【００１１】
【図１】本発明を実施するシステムの概念図
【図２】予約手順の画面遷移のイメージ説明図
【図３】番組予約のフローを示す説明図
【図４】番組予約のフローを示す説明図
【図５】番組予約のフローを示す説明図
【発明を実施するための形態】
【実施例】
【００１２】
本発明は、プロモーションデータを見ながら簡単に番組の視聴予約を実行できるもので、この予約の実行はデータ通信回線を利用してテレビリモコンを操作しながら行う。
【００１３】
有料デジタルテレビ放送局側には管理サーバが備えられており、この管理サーバには、編成を終えた放送予定番組のプロモーションデータが格納されている。
【００１４】
また、管理サーバには、視聴予約の申し込みがあった場合に、当該申し込み者のテレビのＢ−ＣＡＳカードからＩＤ情報を取り込んで記録する機能と、予約した番組表を作成して視聴者のテレビメーカーの予約サービスに、データ通信回線を経由して予約データを送信する機能と、多数の視聴者からの予約状況を分析し、データ化して保存し、これを視聴者からの求めにより、あるいはプロモーションデータと共に送信する機能と、予約日または時間が迫ったところで視聴者へその旨をデータ通信回線を経由して通知する機能を有している。
【００１５】
図１乃至図５を用いて本発明の実施例を詳細に説明する。
【００１６】
図１は、本発明に係る視聴予約方法の概念図であって、１は有料デジタルテレビ放送局（以下「放送局」という。）、２は放送衛星、３はデジタルテレビ（以下「テレビ」という。）であって、放送局１から送信された放送番組は、放送衛星２を経由してテレビ３にて視聴が可能である。また、このテレビ３は、リモコン３ａを利用して放送の受信あるいはデータ通信の受信制御が可能である。
【００１７】
４は、インターネット回線、５は放送局１側に備えられた管理サーバであって、この管理サーバ５と前記テレビ３間は、ＳＳＬで暗号化されたデータがデータ通信回線６を経由して送信される。
【００１８】
５ａ〜５ｄは、管理サーバ５内の各機能サーバであって、５ａはＢ−ＣＡＳカードＩＤの取得、管理を主とする顧客管理サーバ、５ｂは放送予定番組及びこのプロモーションデータ管理を行う番組情報管理サーバ、５ｃはウェブサーバ、５ｄはメールサーバである。
【００１９】
次に、図２を用いて本放送とデータ通信の画面の遷移を説明する。
【００２０】
本放送とデータ放送は、視聴者のテレビ３の画面に、トップメニュー画面Ｐ１として表示され、このトップメニュー画面Ｐ１からＮＶ−ＲＡＭ管理メニュー画面Ｐ２、ガイダンス画面Ｐ３、利用規約、パーミッション画面Ｐ４、放送時でのデータ通信サービス画面Ｐ５等へ移行することができる。
【００２１】
そして、ガイダンス画面Ｐ３、利用規約、パーミッション画面Ｐ４から一次リンクメニュー画面Ｐ６へ移行すると、例えばＭｙＷＯＷＯＷ画面Ｐ７、各種番組の人気ランキング画面Ｐ８、今月の特集番組画面Ｐ９、放送局１からのおすすめ番組画面Ｐ１０、放送予定番組表検索画面Ｐ１１、視聴者がこれまで予約した番組内容から視聴者の好みを判断して放送予定番組を推奨するプレゼント画面Ｐ１２からプレゼント画面Ｐ１３へと移行が可能である。
【００２２】
また、画面Ｐ７〜Ｐ１１を選択すると、選択した番組の詳細プロモーション画面Ｐ１４へと移行して、プロモーションデータを見ることができる。
【００２３】
次に、データ通信での番組管理を図３乃至図５を用いて説明する。
【００２４】
先ず、図３において、Ｓ１でデータ通信がスタートすると、放送局１側の管理サーバ５は、Ｓ２で番組情報格納部から、本編放送番組の番組情報を取得する。次に、Ｓ３でデータ放送コンテンツ格納部からコンテンツを取得する。次に、Ｓ４で映像音声ストリームとデータ通信ストリームを多重化して、放送波で送出する。ここまでが送信側である。
【００２５】
次に、受信装置（放送波）側においては、Ｓ５で放送チャンネルを選択すると、Ｓ６で選択されたチャンネル放送波を受信し、多重化ストリームを個別ストリームに分離する。次に、Ｓ７で分離された映像音声ストリームから映像信号と音声信号を復号する。
【００２６】
次に、Ｓ８でデータ通信ストリームを復号して、プログラムを解釈実行し、Ｓ９でリモコンのｄボタン等でデータ通信起動を選択する。この結果、Ｓ１０でメニュー画面表示があり、ここにサービスの説明や利用方法等を案内するとともにリモコン利用ボタンの案内を表示する。
【００２７】
次に、図４のＳ１１で個人情報の利用については、サービス利用と同時か別々かのサービス利用の有無を確認し、有の場合、Ｓ１２で受信機判定を行い、ＬＡＮ接続ありの場合にＳ１３において、個人情報の利用についての利用ＯＫの場合のみ受信機のＢ−ＣＡＳカードＩＤと視聴番組のイベント情報を取得し、Ｓ１４で取得情報をＢＭＬサーバに送信し、次にＳ１５で取得情報をＢＭＬサーバに格納する。
【００２８】
次に、Ｓ１６で取得情報を集計し、Ｓ１７で集計結果をテレビ３に送信し、Ｓ１８で各サービスで番組案内を行い、Ｓ３３でマーケティングデータとしても活用し番組編成等にも利用する。又は、ＢＭＬサーバーからネットワーク経由でコンテンツを取得し、Ｓ１９で１次リンクＴＯＰメニューを表示し、Ｓ２０でメニューを選択し、Ｓ１８へ番組案内へ移行する。なお、Ｓ１２でＬＡＮ接続なしの場合は、Ｓ２１で利用できないことを案内する。
【００２９】
次に、前記Ｓ１８で番組案内が開始すると、図５のＳ２２で管理サーバ５からお奨め番組や登録番組を取得して案内し、Ｓ２３で番組選択を行うとＳ２４で番組詳細を案内し、Ｓ２５で視聴（録画）予約し、Ｓ２６で機器の対応有無を確認し、Ｓ２７で受信機（テレビ３）にイベント情報を送信して予約を完了する。視聴者はＳ２８で番組を視聴する。
【００３０】
また、Ｓ２６で機器が予約に対応できないときは、Ｓ２９で対応できないことを案内し、Ｓ３０でこのことをメール配信する場合にはＳ３１でメールアドレスを登録し、Ｓ３２でお知らせメールを配信する。
【産業上の利用可能性】
【００３１】
データ通信回線利用による有料デジタルテレビ放送番組のプロモーションと番組の視聴予約方法。
【符号の説明】
【００３２】
１ 放送局
２ 放送衛星
３ テレビ
３ａ リモコン
４ インターネット回線
５ 管理サーバ
【図１】
0005342478.tif 000002
【図２】
0005342478.tif 000003
【図３】
0005342478.tif 000004
【図４】
0005342478.tif 000005
【図５】
0005342478.tif 000006